(57)【要約】      （修正有）【課題】インプラントを使用する歯の治療において、コストの低減を図ることができるインプラント治療用シリンダーを提供する。【解決手段】シリンダー１は、円筒状とされる。シリンダー１の下端部１５は、下方へ行くに従って径方向外側へ拡径するよう形成されている。シリンダー１の軸方向中途部には、中央に穴１９ａが形成された壁部１９が設けられている。シリンダー１は、コバルト・クロム合金により形成されている。シリンダー１は、歯の形を模して形成されたフレーム５の貫通穴２３ａにはめ込まれて、ロウ着により一体化される。一体化されたシリンダー１とフレーム５は、インプラント３に固定されたアバットメント６に取り付けられ、シリンダー１の穴１９ａを介してアバットメント６のネジ穴７にネジ３３がねじ込まれてインプラント３に固定される。【選択図】図３
0003181073.tif 000002
【実用新案登録請求の範囲】
【請求項１】
コバルト・クロム合金により形成されており、
歯の形状を模したフレームに固定され、
歯骨に埋め込まれるインプラント、またはこのインプラントに取り付けられるアバットメントに固定される
ことを特徴とするインプラント治療用シリンダー。
【請求項２】
略筒状に形成され、前記フレームにはめ込まれてロウ着されて前記フレームと一体化され、
前記略筒状部の内穴を介して前記インプラントまたは前記アバットメントにネジ止めされる
ことを特徴とする請求項１に記載のインプラント治療用シリンダー。
【考案の詳細な説明】
【技術分野】
【０００１】
本考案は、インプラントを使用した歯の治療に用いられるシリンダーに関するものである。
【背景技術】
【０００２】
インプラントを使用して歯を治療する場合、歯骨にインプラントを埋め込むと共に、インプラントの上端部にアバットメントを固定し、さらに、このアバットメントに上部構造体を取り付けていた。従来、この上部構造体は、ＣＡＤ−ＣＡＭ（キャドキャム）により一体に形成されていた。
【考案の概要】
【考案が解決しようとする課題】
【０００３】
しかしながら、ＣＡＤ−ＣＡＭを使用する場合、その設備が多大なものとなっていた。
また、ＣＡＤ−ＣＡＭにより上部構造体を製作する場合、チタンを使用していたが、チタンは高価であり、製作を失敗した際には、上部構造体を全て製作し直すことになり、損失が大きくなってしまっていた。
【０００４】
本考案が解決しようとする課題は、インプラントを使用する歯の治療において、コストの低減を図ることができるインプラント治療用シリンダーを提供することにある。
【課題を解決するための手段】
【０００５】
本考案は、前記課題を解決するためになされたもので、請求項１に記載の考案は、コバルト・クロム合金により形成されており、歯の形状を模したフレームに固定され、歯骨に埋め込まれるインプラント、またはこのインプラントに取り付けられるアバットメントに固定されることを特徴とするインプラント治療用シリンダーである。
【０００６】
さらに、請求項２に記載の考案は、略筒状に形成され、前記フレームにはめ込まれてロウ着されて前記フレームと一体化され、前記略筒状部の内穴を介して前記インプラントまたは前記アバットメントにネジ止めされることを特徴とする請求項１に記載のインプラント治療用シリンダーである。
【考案の効果】
【０００７】
本考案によれば、インプラントを使用する歯の治療において、コストの低減を図ることができる。
【図面の簡単な説明】
【０００８】
【図１】本考案のインプラント治療用シリンダーの一実施例の使用状態を示す図である。
【図２】図１のインプラント治療用シリンダーの取付状態を示す斜視図である。
【図３】図２におけるインプラント部の縦断面図である。
【図４】インプラントに、シリンダーおよびフレームを取り付ける工程を示す図である。
【図５】本考案のインプラント治療用シリンダーの別の実施例の使用状態を示す図である。
【考案を実施するための形態】
【０００９】
以下、本考案のインプラント治療用シリンダーの一実施例について図面に基づいて具体的に説明する。
【００１０】
図１は、本考案のインプラント治療用シリンダーの一実施例の使用状態を示す図であり、歯に固定されたインプラントに設けられたアバットメント、シリンダーおよびフレームを分解して示している。
なお、ここでは、下の歯について示しているが、上の歯についても同様である。また、この図は人の口腔内ではなく、歯の模型とみてもよい。
図２および図３は、本実施例のインプラント治療用シリンダーの取付状態を示す図であり、図２は斜視図、図３はインプラント部の縦断面図である。
【００１１】
本実施例のシリンダー１は、歯骨に固定されるインプラント３と、歯の形を模したフレーム５とを連結するのに使用される。
インプラント３は、円柱形状とされ、その下端部が歯骨に埋め込まれて設けられる。
図示例では、左右（口腔内では前後）に離隔して、２本のインプラント３，３が歯骨に立設されている。
【００１２】
本実施例では、インプラント３の上端部にアバットメント６が取り付けられている。アバットメント６は、その上端部６ａが、略球面状に形成されており、上端部の中央部には、上方へ開口してネジ穴７が形成されている。
なお、図示例では、アバットメント６に、下方へ突出してボルト状の軸部６ｂが形成されており、この軸部６ｂが、インプラント３の上端部中央に形成されたネジ穴３ａにねじ込まれてインプラント３にアバットメント６が固定されている。
【００１３】
シリンダー１は、円筒状とされ、その下端部は拡径して形成されている。
具体的には、シリンダー１の下端部１５は、下方へ行くに従って径方向外側へ拡径するよう形成され、その下端部１５の内周面１５ａは、アバットメント６の上端部６ａに対応した略球面状に形状されている。
【００１４】
さらに、シリンダー１の軸方向中途部には、径方向内側へ環状に突出して壁部１９が形成されている。換言すれば、シリンダー１の内部には、中央に穴１９ａが形成された壁部１９が設けられている。図示例では、シリンダー１の筒状部２１と拡径部１５との連接部に対応した位置に壁部１９が形成されている。
【００１５】
シリンダー１は、コバルト・クロム合金により形成されており、たとえば、株式会社日本歯科金属製の「ダン・コバルトボンド」（商品名）が使用される。
また、本実施例では、シリンダー１は、削り出しにより形成される。
【００１６】
フレーム５は、歯の形を模して形成されている。フレーム５は、コバルト・クロム合金により形成される。図示例では、フレーム５は、４つの歯２３，２５，２７，２９が連接された形状とされる。
【００１７】
また、フレーム５の左右両端部の歯２３，２９には、それぞれ上下方向に沿って貫通穴２３ａ，２９ａが形成されている。フレーム５は、その貫通穴２３ａ，２９ａにシリンダー１がはめ込まれて、ロウ着によりシリンダー１と一体化される。
【００１８】
フレーム５が取り付けられたシリンダー１は、その下端部１５がアバットメント６の上端部６ａにはめ込まれ、前記壁部１９の穴１９ａを介してネジ３３がアバットメント６のネジ穴７にねじ込まれてアバットメント６に固定される。
このようにして、フレーム５とインプラント３が、シリンダー１により連結される。
【００１９】
次に、歯骨に固定されたインプラント３に、シリンダー１およびフレーム５を取り付ける工程について具体的に説明する。
図４は、インプラントに、シリンダーおよびフレームを取り付ける工程を示す図である。
【００２０】
予め、患者の口腔内の模型を石膏で作成して用意しておき、図４（ａ）に示すように、その模型にインプラント３を埋め込み、さらにインプラント３にアバットメント６を固定する。そして、同図（ｂ）に示すように、アバットメント６の上端部６ａにシリンダー１の下端部をはめ込んで、シリンダー１をアバットメント６にネジ３３で固定する。
【００２１】
次に、同図（ｃ）に示すように、ロウにより歯型（ワックスパターン）３７を作る（ワックスアップ法）。この際、シリンダー１は、歯型３７を貫通する。そして、ネジ３３を外して、アバットメント６からシリンダー１と歯型３７を取り外して、同図（ｄ）に示すように、歯型３７からシリンダー１を抜き取る。この歯型３７から鋳型を製作し、鋳型にコバルト・クロム合金を流し込んで鋳造により、同図（ｅ）に示すように歯の形を模したフレーム５を製作する。つまり、歯型３７と同形のフレーム５をコバルト・クロム合金で製作する。
【００２２】
ここでは、フレーム５の左右両端部の歯２３，２９に、上下方向に沿って貫通穴２３ａ，２９ａが形成されており、同図（ｆ）に示すように、左右両端部の歯２３，２９にそれぞれ、貫通穴２３ａ，２９ａに開口するよう切込み４１，４３を上下方向に沿って形成する。図示例では、この切込み４１，４３の形成位置は、各歯２３，２９の前後いずれかの面とされている。
【００２３】
次に、同図（ｇ）に示すように、フレーム５の左右両端部の歯２３，２９にシリンダー１をはめ込み、フレームの切込み４１，４３にロウ（歯科用コバルト・クロム系合金ろう）４５を塗布する。
さらにフラックスを塗布して、シリンダー１とフレーム５とをロウ着させて一体化させ、適宜、シリンダー１の上端部を切り取る。
【００２４】
そして、一体化したフレーム５とシリンダー１の表面に合成樹脂（レジン）を塗布するか、セラミックを焼き付ける。
本実施例では、フレーム５の表面にレジンを塗布するためのリテンションを付与することが可能である。具体的には、ワックスアップによりロウで歯型を形成した後、この歯型の表面に糊を塗り、粉状のリテンションビーズをふりかけて歯型の表面に付着させる。この状態で、鋳型を作り、フレーム５を形成することで、フレーム５の表面に細かい凹凸が形成されて、レジンがフレーム５から剥がれにくくなる。
なお、一体化したフレーム５とシリンダー１の表面に必ずしもレジンを塗布したり、セラミックを焼き付けたりする必要性はない。
【００２５】
このようにして出来た上部構造体４７を、患者の歯骨に埋め込まれたインプラント３に固定する。具体的には、同図（ｈ）に示すように、上部構造体４７の左右両端部のシリンダー１の下端部を、インプラント３に固定されたアバットメント６の上端部６ａにはめ込む。そして、シリンダー１をアバットメント６にネジ３３で固定し、シリンダー１の内穴に綿球をつめてレジン５１などを注入すればよい。
【００２６】
本実施例では、ワックスアップにより歯型３７を製作するため、精密に製作できる。
また、歯の形状を模したフレーム５を鋳造により形成するため、安価に形成することができる。また、本実施例では、上部構造体４７を構成するフレーム５とシリンダー１とを別々に製作することで、製作が容易で、安価に確実に行える。
さらに、シリンダー１の形状は、適宜変更可能であり、インプラントを提供するメーカーごとに対応が可能である。
【００２７】
また、本実施例では、シリンダー１およびフレーム５がコバルト・クロム合金により形成されており、イオン化せず、口腔内で長期的に安定して使用することができる。また、鋳造および加工がし易く、製作し易く、強度が強いため、長期使用が可能である。
【００２８】
本考案のインプラント治療用シリンダーは、上記実施例の構成に限らず、適宜変更可能である。
たとえば、上記実施例では、インプラントを２本埋め込み、フレームを４つの歯が連結された構成とし、２本のシリンダーを設けたが、インプラントの本数、フレームの歯の個数、およびシリンダーの本数は適宜変更可能である。
【００２９】
また、上記実施例では、シリンダー１は、アバットメント６を介してインプラント３に固定される構成としたが、直接インプラント３に固定するようにしてもよい。つまり、シリンダー１とアバットメント６を一体化した構成としてもよい。
具体的には、図５に示すように、シリンダー１を上方へ開口する円筒状に形成すると共に、シリンダー１の底壁６１の中央部に穴６１ａを形成する。そして、シリンダー１をインプラント３の上端部に重ね合わせて、底壁６１の穴６１ａを介してネジ６５をインプラント３のネジ穴３ａにねじ込むようにしてもよい。この場合も、上記実施例と同様に、シリンダー１にフレーム５を固定すればよい。
【符号の説明】
【００３０】
１    シリンダー
３    インプラント
５    フレーム
６  アバットメント
３３  ネジ
【図１】
0003181073.tif 000003
【図２】
0003181073.tif 000004
【図３】
0003181073.tif 000005
【図４】
0003181073.tif 000006
【図５】
0003181073.tif 000007